(57)【要約】【課題】  テーパー状釣糸という糸径が長さ方向に対し変化するラインについて、平滑性を有し、強度が良好であるとともに、根ずれ（擦れ）に強い釣糸を提供する。【解決手段】  複数の組み糸で成り立つ組み紐状の釣糸で、糸径が長さ方向に対して変化するテーパー状釣糸であって、糸径を細くする為に切断した組み紐の一部の糸始末として編込みされていることを特徴とする。【選択図】図１
0003161775.tif 000002
【実用新案登録請求の範囲】
【請求項１】
複数の組み糸で成り立つ組み紐状の釣糸で、糸径が長さ方向に対して変化するテーパー状釣糸であって、糸径を細くする為に切断した組み紐の一部の糸始末として編込みされていることを特徴とする釣糸。
【請求項２】
上記請求項１における組み糸はモノフィラメントまたはマルチフィラメントであって、超高分子ポリオレフィン繊維、アラミド系繊維、ポリアミド系繊維、ポリエステル系繊維、塩化ビニリデン系繊維のうちの少なくとも一種類の繊維からなることを特徴とする釣糸。
【考案の詳細な説明】
【技術分野】
【０００１】
本考案は、毛バリ（フライ）を用いた渓流釣りに用いるフライライン（テンカラ釣り）や投げ釣りに用いるちから糸など、長さ方向にテーパー形状に製紐された釣糸に関するものである。
【背景技術】
【０００２】
従来のテーパー形状に製紐された釣糸としては、異なる直径の製紐された釣糸を繋ぎ合わせるか、あるいは、製紐する過程において初期設定したワインダーボビンに巻かれた糸（組み糸）の数を任意の組み上がり長さで、機械を止め、切断し、それを組み紐の芯に組み入れたり、組み糸の本数を減少させることによって長さ方向に対し糸の直径を細するか（特許文献１）、あるいは製紐する過程で、任意の組み上がり長さで機械を止め、初期設定した組み糸に比べ細い組み糸に置き換えていく（特許文献２）等によるものがある。だが、これら従来のテーパー形状の釣糸の場合には、何回か使用していくうちに糸の直径が変化する切り替え部分から糸が解れ、切断した組み糸が表面に現れたりして釣り糸としての強度を減少させることや、表面の平滑性を損なわせ、釣り竿のガイドとの滑りが悪くなり、本来あるべき性能が発揮されず遠投に必要な距離がでないことがある等の問題点があった。
【先行技術文献】
【特許文献】
【０００３】
【特許文献１】特開平８−２８９７０８号公報
【特許文献２】特開２００２−３３０６８１号公報
【考案の概要】
【考案が解決しようとする課題】
【０００４】
本考案は、以上のとおりの背景から、従来の問題点を解消して、テーパー状釣糸という糸径が長さ方向に対し変化するラインについて、平滑性を有し、強度が良好であるとともに、根ズレ（擦れ）に強い糸を提供することを課題としている。
【課題を解決するための手段】
【０００５】
本考案の釣糸は、上記の課題を解決するため、以下のことを特徴としている。
【０００６】
第１：複数の組み糸で成り立つ組み紐状の釣糸で、糸径が長さ方向に対して変化するテーパー状釣糸であって、糸径を細くする為に切断した組み紐の一部の糸始末として編込みされている。
【０００７】
第２：上記組み糸はモノフィラメントまたはマルチフィラメントであって、超高分子ポリオレフィン繊維、アラミド系繊維、ポリアミド系繊維、ポリエステル系繊維、塩化ビニリデン系繊維のうちの少なくとも一種類の繊維からなる。
【考案の効果】
【０００８】
本考案によれば、テーパー状釣糸という糸径が長さ方向に対し変化するラインについて、平滑性を有し、強度が良好であるとともに、根ずれ（擦れ）に強い釣糸が提供される。
【図面の簡単な説明】
【０００９】
【図１】本考案における編込みについて示した概要図である。
【考案を実施するための形態】
【００１０】
本考案は、上記のとおりの組み紐状のテーパーラインにおける直径が変化する部分での組み糸の始末について、従来、釣りの仕掛け等に用いられている編込みという手法を活用するものである。
【００１１】
ただ、編込みと言っても釣り情報の中で様々な解釈がある。本考案でいう編込みとは、製紐機を止め、複数の組み糸が組まれ組み紐状になっている状態で任意の本数の組み糸を切断し、図１のように、切断された後の組み糸１を既に組まれている組み紐状の糸２に絡ますようにループを作り、その中にその組み糸１を通し締めていくことであり、更に言えばループに糸を通すやり方は上からと下からとがあるが、それを任意の順番で交互にすることを指す。すなわち、図１（Ａ）のように上→下や図１（Ｂ）のように下→上がある。
【００１２】
この交互にループを作り締めていく事を１回とすると、編込み回数は１〜２０回位の間が糸の切り替え部分の強度の確保と平滑性という部分での効果を考えると好ましい。もちろん、それより多くてもある程度の効果がある。その後に組み終わった組み紐状の釣糸を染色、コーティングすることにより切り替え部分の編込みの網目が目立たなくなり、且つ表面も滑らかになり、従来品に比べ糸始末部分の強度ＵＰと平滑性のバランスが取れるテーパー状釣糸を提供することが可能になった。
【００１３】
以下に、本考案の実施例を示す。もちろん、本考案がこれに限られないことはいうまでもない。
（実施例）
公知の８打ちの製紐機を使用した。糸は超高分子量ポリエチレン繊維（「ダイニーマ」東洋紡株式会社製）とした。８本の組み糸部分にはダイニーマー２００ｄを４本、同繊維１００ｄを４本、合計１，２００ｄの組み紐を作成した。途中、切り替え部分、つまり、１，２００ｄを１，０００ｄにする部分で製紐機械を止め、ワインダーボビンで２００ｄを巻いてあるものを１本抜いた。そして、その組み糸１本を切断し、その切断した糸を用いて、既に組み上がっている組み紐状糸に対し編込み（結びを上下セットで３回）を行い、再度、７本で製紐を再開し、規定の長さに達した後、切断し染色をした。
【００１４】
次に試作品が既存商品に比べどの位摩擦に強いかを試験した。上記釣糸の１，２００ｄから１，０００へ切り替える部分を中心に上下２ｍずつ、計４ｍの糸を取りだし、市販されているガイド式の釣り竿にセットし、水を張った浴槽とその中に糸を折り返すガイドを４つ沈め、セットした釣糸を浴槽内のガイドに通し、再度セットした釣竿の所へ持って行き、丁度リールに一番近い部分のガイドで既にガイドに通してある釣り糸と輪っかが出来るように結びつけた。その際に、竿に対し、５００ｇ相当の重りをかけた際にしなる角度と同じようにしなるようにテンションを掛けセットし、分速４００ｍ相当の速さで糸を回し、一周４ｍを１回として３，０００回、糸を回転させ、切り替え部分の摩耗を検証した。その結果、市販品との比較において本考案の試作品が切り替え部分の摩擦に対する摩耗が目視で少ないことが確認された。
【符号の説明】
【００１５】
１    切断された後の組み糸
２    組み紐状の糸
【図１】
0003161775.tif 000003
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
複数の組み糸で成り立つ組み紐状の釣糸で、糸径が長さ方向に対して変化するテーパー状釣糸であって、糸径を細くする為に切断した組み紐の一部の糸始末として編込みされていることを特徴とする釣糸。
【請求項２】
前記複数の組み糸はモノフィラメントまたはマルチフィラメントであって、超高分子ポリオレフィン繊維、アラミド系繊維、ポリアミド系繊維、ポリエステル系繊維、塩化ビニリデン系繊維のうちの少なくとも一種類の繊維からなることを特徴とする請求項１に記載の釣糸。